(57)【要約】      （修正有）【課題】被清掃体を損傷することなく安価に構成可能で再利用することができるクリーニングカードを提供する。【解決手段】クリーニングカード１は、紙葉類処理装置に挿入されて内部の被清掃体を清掃するクリーニングカードであって、表裏面に０．０４ｍｌ〜０．０５ｍｌの洗浄液が塗布されている。また、前記クリーニングカードは、ポリエチレンテレフタレート樹脂のフィルムの両面に不織布を張り付けて成形され、前記短手方向の幅全体に亘って、前記表裏面の一方から凹み他方に向けて突出するように湾曲形成された波状部を少なくとも一つ有する。【選択図】図１
0003233885.tif 000002
【実用新案登録請求の範囲】
【請求項１】
紙葉類処理装置に挿入されて内部の被清掃体を清掃するクリーニングカードであって、
表裏面に０．０４ｍｌ〜０．５０ｍｌの洗浄液が塗布された
クリーニングカード。
【請求項２】
前記クリーニングカードは、ポリエチレンテレフタレート樹脂のフィルムの両面に不織布を張り付けて成形されている
請求項１記載のクリーニングカード。
【請求項３】
前記クリーニングカードは、前記短手方向の幅全体に亘って、前記表裏面の一方から凹み他方に向けて突出するように湾曲形成された波状部を少なくとも一つ有する
請求項２記載のクリーニングカード。
【請求項４】
前記洗浄液は、エチルアルコール８５％以上、ノルマルプロピルアルコール１０％未満、及びイソプロピルアルコール５％未満の含有率を有するアルコール液からなる
請求項１〜３のいずれか１項記載のクリーニングカード。
【請求項５】
前記クリーニングカードは、ＩＣカード又は紙幣と同様のサイズである
請求項１〜４のいずれか１項記載のクリーニングカード。
【考案の詳細な説明】
【技術分野】
【０００１】
本考案は、自動改札機や券売機等の紙葉類処理装置に用いられるクリーニングカードに関する。
【背景技術】
【０００２】
磁気カード、紙幣又はチケット等の紙葉類を取り扱う紙葉類処理装置においては、内部に設けられたカード読取部や紙幣識別部、各種の搬送ローラ、搬送ベルト等の各部において、人の皮脂汚れに由来する油汚れ、長時間使用による塵、埃、インク汚れ等の各種汚れが付着する。
【０００３】
このような各種汚れを清掃するためには、従来より、紙葉類処理装置に導入される実際のカードと同様な外形を有するクリーニング用のカード部材（クリーニングカード）が用いられている（特許文献１参照）。このクリーニングカードは、いわゆる乾式（ドライタイプ）のものであるが、クリーニングカードには、予めアルコール等のクリーニング溶剤を浸透させた湿式（ウェットタイプ）のものも存在する。
【先行技術文献】
【特許文献】
【０００４】
【特許文献１】実開平５−７３７０７号公報
【考案の概要】
【考案が解決しようとする課題】
【０００５】
しかしながら、上記特許文献１に開示された従来技術のクリーニングカードでは、比較的安価なドライタイプのカードにも拘わらず、別途研磨粒子を含有させるためにコスト削減を図ることが難しく、更にこのカードに含まれる研磨粒子がカード読取部等の被清掃体を損傷してしまう虞がある。また、ウェットタイプのクリーニングカードは、ドライタイプのものと比べて高価になると共に、再利用や保管が難しいという問題がある。
【０００６】
本考案は、上述した従来技術による問題点を解消し、被清掃体を損傷することなく安価に構成可能で再利用することができるクリーニングカードを提供することを目的とする。
【課題を解決するための手段】
【０００７】
本考案に係るクリーニングカードは、紙葉類処理装置に挿入されて内部の被清掃体を清掃するクリーニングカードであって、表裏面に０．０４ｍｌ〜０．５０ｍｌの洗浄液が塗布されている。
【０００８】
前記クリーニングカードは、ポリエチレンテレフタレート樹脂のフィルムの両面に不織布を張り付けて成形されていることが望ましい。また、前記クリーニングカードは、前記短手方向の幅全体に亘って、前記表裏面の一方から凹み他方に向けて突出するように湾曲形成された波状部を少なくとも一つ有することが望ましい。
【０００９】
前記洗浄液は、エチルアルコール８５％以上、ノルマルプロピルアルコール１０％未満、及びイソプロピルアルコール５％未満の含有率を有するアルコール液からなることが望ましい。また、前記クリーニングカードは、ＩＣカード又は紙幣と同様のサイズであることが望ましい。
【考案の効果】
【００１０】
本考案によれば、被清掃体を損傷することなく安価に構成可能で再利用することができるクリーニングカードを提供することができる。
【図面の簡単な説明】
【００１１】
【図１】本考案の第１実施形態に係るクリーニングカードを示す斜視図である。
【図２】本考案の第２実施形態に係るクリーニングカードを示す斜視図である。
【図３】本考案の第３実施形態に係るクリーニングカードを示す斜視図である。
【考案を実施するための形態】
【００１２】
以下、添付の図面を参照して、本考案の実施の形態に係るクリーニングカードを詳細に説明する。ただし、以下の実施の形態は、各請求項に係る考案を限定するものではなく、また、実施の形態の中で説明されている特徴の組み合わせの全てが考案の解決手段に必須であるとは限らない。また、以下の実施の形態においては、各構成要素の縮尺、寸法等が誇張されて示されている場合、及び一部の構成要素が省略されている場合がある。
【００１３】
図１は、本考案の第１実施形態に係るクリーニングカードを示す斜視図である。
図１に示すように、第１実施形態のクリーニングカード１は、自動改札機や券売機等の紙葉類処理装置に挿入されて、装置の内部の被清掃体（カード読取部、紙幣識別部、各種搬送ローラ、搬送ベルト等）を清掃するものである。
【００１４】
クリーニングカード１は、例えば、アクリル系不織布、オレフィン系繊維、ＰＥＴ系フィルム、ＰＥＴ系シート、ナノファイバ織物、及びこれらを複合した特殊不織布等の材質を有する乾式カードからなる。乾式カードは、例えば、ＰＥＴ樹脂のフィルムの両面に不織布を張り付けて形成されている。クリーニングカード１は、実際に紙葉類処理装置にて使用されるカードとほぼ同じ寸法の外形を有するように成形されている。
【００１５】
クリーニングカード１は、具体的には、長手方向の所定の長さ（Ｈ）、短手方向の所定の幅（Ｗ）、及び所定の厚さ（Ｔ）を有する平面矩形状に成形されている。第１実施形態のクリーニングカード１は、例えばＩＣカードと同様の、長さ８６ｍｍ以下、幅５８ｍｍ以下、及び厚さ０．５ｍｍ以下の寸法となるように成形されている。
【００１６】
クリーニングカード１は、実際の使用時には、表面２及び裏面３にそれぞれ所定量の洗浄液が塗布される。ここで、洗浄液は、エチルアルコール８５％以上、ノルマルプロピルアルコール１０％未満、及びイソプロピルアルコール５％未満の含有率を有するアルコール液からなることが好ましい。
【００１７】
本出願人は、上記洗浄液のアルコール成分比を導き出すために、下記表１に示すように、Ｎｏ．１の「工業用エチルアルコール標準品」と、Ｎｏ．２の「工業用エチルアルコール成分変更品」と、Ｎｏ．３の「エチルアルコール単一品」の、それぞれアルコール成分比が異なる３つの洗浄液を比較検討した。
【００１８】
【表１】
0003233885.tif 000003
【００１９】
表１に示すように、Ｎｏ．１のアルコール成分比は、「エチルアルコール：８５％以上；ノルマルプロピルアルコール：１０％未満；イソプロピルアルコール：５％未満」であり、Ｎｏ．２のアルコール成分比は、「エチルアルコール：９５％以上；ノルマルプロピルアルコール：なし；イソプロピルアルコール：５％未満」であり、Ｎｏ．３のアルコール成分比は、「エチルアルコール：９９％以上；ノルマルプロピルアルコール：なし；イソプロピルアルコール：なし」であった。このような成分比で構成されたこれら３つの洗浄液を比較検討した結果、Ｎｏ．１の「工業用エチルアルコール標準品」が最適な洗浄液であるとの結論を導き出した。
【００２０】
そして、乾式カードからなるクリーニングカード１の表面２及び裏面３には、この洗浄液が０．０４ｍｌ〜０．５０ｍｌずつ、好ましくは０．４５ｍｌずつ塗布された上で、紙葉類処理装置に挿入される。なお、洗浄液の塗布量０．０４ｍｌ〜０．５０ｍｌは、５０００ｍｍ２以下の面積に対する塗布量であり、より好ましくは４９８８ｍｍ２以下の面積に対する塗布量である。
【００２１】
本実施形態のクリーニングカード１は、このように構成されることにより、乾式カードに洗浄液を塗布して使用するという簡単な構成を実現することができる。これにより、ウェットタイプのものと同等の洗浄機能を有するにも拘わらず、これよりも安価に構成することが可能となる。また、研磨粒子等を含有させる必要がなく、塗布した洗浄液を主体として被清掃体を清掃するため、被清掃体を損傷することもなく、洗浄液を再塗布して再利用することも可能である。
【００２２】
図２は、本考案の第２実施形態に係るクリーニングカードを示す斜視図である。なお、図２を含む以降の説明においては、上述したものと重複する説明は省略する。
図２に示すように、第２実施形態のクリーニングカード４は、紙幣（千円札）と同様の寸法で、長手方向の長さ１５０（±０．５）ｍｍ、短手方向の幅７６（＋０，−０．５）、及び厚さ３００（±１００）μｍの寸法を有する平面矩形状に成形されているが、このクリーニングカード４は、長手方向の中央部に短手方向に延びる波状部７を有する。この波状部７は、クリーニングカード４の長手方向両端から、例えば６４（±０．５）ｍｍの位置に形成され、長手方向に幅２２（±０．５）ｍｍを有し、短手方向の幅全体に亘って延び、表面５及び裏面６の一方から凹み他方に向けて例えば３．０（±０．５）ｍｍ突出するように形成されている。図２に示す例では、波状部７は、裏面６側から凹み表面５側に湾曲形状で突出するように形成されている。
【００２３】
本実施形態のクリーニングカード４は、このように構成されることにより、第１実施形態のクリーニングカード１と同様の作用効果を奏するのみならず、波状部７のスプリング効果によって、過剰な厚さを持たせることなく被清掃体と十分な面積で接触し清掃することができるので、より確実に清掃を行うことが可能である。
【００２４】
なお、クリーニングカード４への洗浄液の実際の塗布に際しては、例えばクリーニングカードの使用者が、吐出量０．１５ｍｌのスプレーノズルを用いて、別途スプレーボトル等に貯留された洗浄液をこのスプレーノズルを介して、表面５及び裏面６にそれぞれ３プッシュずつ塗布することにより行われることが好ましい。
【００２５】
本出願人は、上記スプレーノズルによる洗浄液の塗布の最適回数を導き出すために、下記表２に示すように、仕様が「紙幣タイプ」で型番が「３００Ｍ波形（遮光無し）」のドライタイプのクリーニングカード４を用い、メーカの異なる自動出札機の内部を清掃する目的で、上記スプレーノズル（１プッシュの吐出量０．１５ｍｌ）による塗布の清掃効果を検証した。
【００２６】
【表２】
0003233885.tif 000004
【００２７】
その結果、表２に示すように、「Ａ社」の型番が異なる「自動マルチ券売機」及び「自動精算機」のいずれにおいても、ノズルのプッシュ回数は３回が最適（○）な清掃結果となり、０回〜２回、４回及び５回はいずれも不適（×）な清掃結果となった。また、「Ｂ社」の型番が異なる「自動マルチ券売機」及び「自動精算機」のいずれにおいても、同じくノズルのプッシュ回数は３回が最適（○）な清掃結果となり、０回〜２回、４回及び５回はいずれも不適（×）な清掃結果となった。
【００２８】
清掃結果の詳細は、いずれのメーカにおいても、まずプッシュ回数が０回の場合は、機器内部の紙幣搬送経路を問題なく通過するが、洗浄液が塗布されていないため紙幣搬送経路の清掃に適さないとされた。また、プッシュ回数が１回及び２回の場合は、それぞれ紙幣搬送経路を問題なく通過するが、洗浄液が少量のためクリーニングカード４の全体で各種汚れが取れないとされた。更に、プッシュ回数が４回及び５回の場合は、それぞれクリーニングカード４の強度が弱まってしまい、再使用を含めて複数回使用すると紙幣搬送経路で詰まりが生じてしまうとされた。これらのことから、洗浄液をクリーニングカード４の表面５及び裏面６に、それぞれ３プッシュずつ塗布することが最適であることが証明された。なお、使用中にクリーニングカード４の両面が乾いてきたら、再度、０．１５ｍｌのスプレーノズルで洗浄液を３回塗布することにより、上記の効果を維持することができる。
【００２９】
図３は、本考案の第３実施形態に係るクリーニングカードを示す斜視図である。
図３に示すように、第３実施形態のクリーニングカード８は、上記第２実施形態のクリーニングカード４の波状部７と同様の形状の裏面１０から表面９に突出する湾曲状の波状部１１を備えているが、この波状部１１が長手方向に沿って所定間隔毎に複数形成されている点が、第２実施形態のクリーニングカード４とは相違している。
【００３０】
第３実施形態のクリーニングカード８は、このように構成されることにより、第２実施形態のクリーニングカード４と同様の作用効果を奏するのみならず、複数の波状部１１のスプリング効果によって、過剰な厚さを持たせることなく被清掃体と十分な面積で複数回接触して被清掃体を清掃することができるので、更により確実に清掃を行うことが可能となる。
【００３１】
以上、本考案のいくつかの実施の形態を説明したが、これらの実施の形態は、例として提示したものであり、考案の範囲を限定することは意図していない。これらの新規な実施の形態は、その他の様々な形態で実施されることが可能であり、考案の要旨を逸脱しない範囲で、種々の省略、置き換え、変更を行うことができる。これら実施の形態やその変形は、考案の範囲や要旨に含まれると共に、実用新案登録請求の範囲に記載された考案とその均等の範囲に含まれる。
【００３２】
例えば、上記の実施の形態では、波状部７，１１が、カードの幅方向全体に亘って湾曲形状に形成されたものとしたが、波状部７，１１は、被清掃体を適度な接圧及び面積で接触して清掃することができるものであれば、種々の形状を採用し得る。
【符号の説明】
【００３３】
１，４，８    クリーニングカード
２，５，９    表面
３，６，１０  裏面
７，１１      波状部
【図１】
0003233885.tif 000005
【図２】
0003233885.tif 000006
【図３】
0003233885.tif 000007